(57)【特許請求の範囲】
【請求項１】
四隅に支柱を立設して箱体を形成し、対向する一方の支柱を移動支柱とし、対向する他方の支柱を固定支柱とし、前記移動支柱を前記固定支柱の方へ移動させることによって、底板を上昇若しくは折曲させるように構成した折り畳み可能なごみ箱において、屋根部を下方に向けて折曲し得るように形成し、該屋根部の一端を前記固定支柱上端に取り付け、屋根部の他端両側部にロッドを固定し、該ロッドを前記移動支柱に設けた案内孔に上下動し得るように係止させ、前記移動支柱を前記固定支柱の方向へ押すことによって、前記ロッドが前記案内孔を下降して屋根部を折り畳むように形成したことを特徴とする折り畳み可能なごみ箱。
【請求項２】
前記移動支柱の前面上端に、下方に細長い長孔を形成する部材を連結し、該長孔に前記ロッドを係止させてなる請求項１に記載のごみ箱。
【請求項３】
前記移動支柱同士及び前記固定支柱同士を梁で連結してなる請求項１又は２に記載のごみ箱。
【請求項４】
前記固定支柱同士に棒状体を連結し、該棒状体に、ごみ分別収容袋の上端を挿通したロッドの一端を固定し、他端をロッドが下降傾斜するように、前記移動支柱同士を連結した部材に係止させたロッドを、間隔付けて設けた２本を１組とし、これを複数組設け、前記ロッドには前記ごみ分別収容袋を係止させる突起を設け、前記ごみ分別収容袋の前面を引っ張って前記突起を通過させ、ごみ分別収容袋の後面は前記突起に係止させることにより、ごみ分別収容袋を開口状態にし得るように形成してなる請求項１〜３のいずれかに記載のごみ箱。
【請求項５】
前記対向する１組のロッドのそれぞれに、前記ごみ分別収容袋を多数挿通してなる請求項４に記載のごみ箱。
【発明の詳細な説明】
【０００１】
【発明の属する技術分野】
この発明は、主としてごみを分別収容するのに使用するコンパクトに折り畳み可能なごみ箱に関するものである。
【０００２】
【従来の技術】
周知のように、ごみ、残飯等をごみ袋に収容し、これを、所定の日に道路の所定の集積場所に放置して置くと、ごみ運搬車がこれを収集運搬していくようになっている。
しかして、ポリのごみ袋に残飯などを収容した場合は、カラス、ネコ等がごみ袋を破って路上にごみが散乱し、道路の美観を損ねると共に、散乱したごみの収集に非常に手間がかかる等の問題があった。ポリのごみ袋を、ごみ箱に収容すれば良いわけであるが、これでは、ごみ回収日以外は、ごみ箱が車両の通行の邪魔になる問題があった。
【０００３】
このような問題を解決するため、本出願人は、コンパクトに折り畳み可能なごみ箱を開発し、先に特許出願した。
しかしながら、最近ごみを分別回収することが行われるようになってきた。
【０００４】
【発明が解決しようとする課題】
上記本出願人が開発した折り畳み可能なごみ箱は、非常に便利なものであったが、屋根部がネット状であったので、ごみを分別収容するごみ箱としては適していない。即ち、雨降りの場合は、雨が分別収容するごみ袋の開口から入り込むからである。
【０００５】
この発明のうち請求項１に記載の発明は、雨が入り込まないようにした屋根部を、ごみ箱と一緒にコンパクトに折り畳むことができるようにしたごみ箱を提供することを目的とする。
【０００６】
また、この発明のうち請求項４に記載の発明は、上記目的に加えて、ごみ分別収容袋を容易に装着でき、しかも折り畳みの障害とならないようにしたごみ箱を提供することを目的とする。
【０００７】
【課題を解決するための手段】
上記目的を達成するため、本発明のうち請求項１に記載の発明は、四隅に支柱を立設して箱体を形成し、対向する一方の支柱を移動支柱とし、対向する他方の支柱を固定支柱とし、前記移動支柱を前記固定支柱の方へ移動させることによって、底板を上昇若しくは折曲させるように構成した折り畳み可能なごみ箱において、屋根部を下方に向けて折曲し得るように形成し、該屋根部の一端を前記固定支柱上端に取り付け、屋根部の他端両側部にロッドを固定し、該ロッドを前記移動支柱に設けた案内孔に上下動し得るように係止させ、前記移動支柱を前記固定支柱の方向へ押すことによって、前記ロッドが前記案内孔を下降して屋根部を折り畳むように形成したことを特徴とする。
【０００８】
また、本発明のうち請求項４に記載の発明は、請求項１に記載の構成に加えて、前記固定支柱同士に棒状体を連結し、該棒状体に、ごみ分別収容袋の上端を挿通したロッドの一端を固定し、他端をロッドが下降傾斜するように、前記移動支柱同士を連結した部材に係止させたロッドを、間隔付けて設けた２本を１組とし、これを複数組設け、前記ロッドには前記ごみ分別収容袋を係止させる突起を設け、前記ごみ分別収容袋の前面を引っ張って前記突起を通過させ、ごみ分別収容袋の後面は前記突起に係止させることにより、ごみ分別収容袋を開口状態に形成し得るようにしたことを特徴とする。
【０００９】
【発明の実施の形態】
次に、本発明の実施例を図面に基づいて説明する。
図１及び図２に示すように、移動支柱１，１′と固定支柱２，２′間には、それぞれ梁３，３′が連結固定され、移動支柱１，１′下端には、容易に移動し得るように、脚車４が固定されている。
【００１０】
移動支柱１（１′）と固定支柱２（２′）とは、ブレ−シングで、移動支柱と固定支柱との間を伸縮し得るようになっている。
ブレ−シングは、図１に示すように、リンク５，５′の交差する中央部を螺子６によって回動自在に連結し、リンク５，５′の下端を、それぞれ移動支柱１，１′及び固定支柱２，２′の外筒下端に固定した板体７，７′に回動自在に固定されている。
【００１１】
リンク５，５′の上端は、それぞれ移動支柱１，１′及び固定支柱２，２′に固定したガイド枠８，８′に形成した長孔９，９′に、リンク５，５′から螺子１０，１０′を挿入することにより、長孔に案内されて自在に上下動するように支持されている。
【００１２】
本発明の屋根部は、図１及び図２に示すように、屋根部を２枚の板体１１，１１′を下方に向けて折曲し得るように連結し、後方の板体１１は、腕木１２，１２によって、固定支柱２，２′に固定している。
前方の板体１１′の両側部には、ロッド１３，１３′が固定され、該ロッドを前記移動支柱に設けた長孔の案内孔１４，１４′に上下動し得るように係止させている。
【００１３】
図２に示す実施例では、パイプ１５，１５′をコ字状に折曲して長孔の案内孔１４，１４′を形成しているが、図１に示すように、板体１６に長孔の案内孔１４（１４′）を形成するようにしても良い。また、移動支柱１，１′の対向面に長孔の案内孔を形成するようにしても差し支えない。
【００１４】
上記実施例では、板体１１の連結部に固定したパイプ１６，１６′に、板体１１′の連結部に固定した鉤形のロッドを差し込み、該ロッド先端にナットを螺合させることによって固定している。勿論、蝶番によって連結しても良い。
【００１５】
上記のように構成されているので、移動支柱１，１′を固定支柱２，２′の方向へ押すことによって、ロッド１３，１３′が案内孔１４，１４′を下降し、屋根部の前方の板体１１′は下方に押し下げられて、屋根部は折り畳まれる。
【００１６】
図１及び図３に示すように、固定支柱２，２′間には、棒状体１７が連結されている。連結は、固定支柱２，２′に固定したコ字形の係止具１８（１８′）のコ字部で棒状体１７を支持し、棒状体１７下方に連設した係止具１８、１８′間の長さと略同じ長さの板体１９でコ字部に係止するようになっている。
【００１７】
図１及び図３に示すように、棒状体１７には多数のロッド２０が、扉２１に向かって下降傾斜するように固定されている。
固定は、ロッド２０の先端のＬ字形鉤形部２２で扉２１に引っかけ、ロッド２０の後端は板体１９に形成した貫通孔から突出し、突出部にナットを螺合させることによって固定している。
【００１８】
ロッド２０は、ポリのごみ袋の幅だけ間隔付けて固定した２本を１組とし、これを分別収容するごみの数だけ複数組設けている。
２本のロッド２０間には、多数のごみ分別収容袋２３の上端が挿通保持されている。ロッド２０には、突起（節部）２４が形成され、ごみ分別収容袋２３は、この突起２４の後ろに挿通保持されている。
【００１９】
最前部のごみ分別収容袋２３の前面を引っ張って突起２４を通過させ、ごみ分別収容袋の後面は突起２４に係止させることにより、ごみ分別収容袋を開口状態とすることができる。
【００２０】
移動支柱１，１′に固定された扉２１は、梁３に蝶番２５によって前方に倒れるように固定され、図１に示すように、移動支柱１，１′に固定したストッパ−２６によって、所定の角度に倒れるようになっている。
【００２１】
ごみ分別収容袋２３にごみを分別収容した後、扉２１を所定の角度に倒した後、ごみ分別収容袋２３を引っ張って、ロッド２０から外し、上端の開口部を紐で縛って破棄すれば良い。ごみ分別収容袋２３は、ポリ袋のように、容易に切れてロッド２０から外れるような材質で形成する。
それから、次の最前部に来たごみ分別収容袋２３を同様に引っ張って、ごみ分別収容袋２３を開口状態とする
【００２２】
底板２７は中央部を切断し、これを蝶番で連結した形状とし、移動支柱１，１′を移動させることによって、底板を山形に折り畳むように形成している。
移動支柱１，１′と固定支柱２，２′とは、伸縮自在の部材、例えばネット、シ−ト状物またはアコ−デオンカ−テンのようなジャバラ状部材で連結し、箱体の側壁を形成すると良い。
【００２３】
梁３，３′には、底板２７が、バネアセンブリ−（図示省略）によって、底板２７が上方に向かって山形に折曲し易いように付勢連結している。
底板２７を水平状態にして収容箱を形成した状態では、底板２７は、バネアセンブリ−の力によって、梁３，３′に弾性当接し、底板２７を若干上昇させると、バネアセンブリ−の力によって、折り畳む方向に付勢される。
【００２４】
上記実施例に於いては、底板２７を板体としているが、伸縮自在の部材例えば、シ−ト状若しくはネット状物またはアコ−デオンカ−テンのようなジャバラ状部材で形成しても良い。この場合は、バネアセンブリ−は必要としない。
箱体の後板、前板及び蓋体は、網状若しくは布状部材のような伸縮自在の部材又は金網のような部材で形成すると良い。
【００２８】
次に、図１〜図３のように構成された本発明のごみ箱を使用する方法を図面に基づいて説明する。
まず、移動支柱１，１′と固定支柱２，２′が近接して折り畳まれた状態から、移動支柱１，１′を前方に引き出すと、図２に示すように、ロッド１３，１３′が案内孔１４，１４′を上昇して、屋根部の前方の板体１１′は上方に押し上げられて、屋根部が形成される。同時に移動支柱１，１′と固定支柱２，２′との間のブレ−シングが×状に開いて図１に示す状態となり、底板２７も平坦に開かれる。
【００２９】
同時に、扉２１に引っかけたロッド２０の鉤形部２２が引っ張られて、ロッド２０は図１〜図３に示す状態となる。
それから最前部のごみ分別収容袋２３の前面を引っ張って突起２４を通過させ、ごみ分別収容袋の後面は突起２４に係止させることにより、ごみ分別収容袋を開口状態とすることができる。
【００３０】
この開口からごみ分別収容袋２３にごみを分別収容し、ごみを収集回収する時は、扉２１を所定の角度に倒してストッパ−２６で係止させ、ごみ分別収容袋２３を引っ張って、ロッド２０から外し、上端の開口部を紐で縛って回収する。
【００３２】
ごみを収集回収したら、移動支柱１，１′を固定支柱２，２′の方向へ押すことによって、ロッド１３，１３′が案内孔１４，１４′を下降して屋根部の前方の板体１１′は下方に押し下げられて、屋根部は折り畳まれる。同時に移動支柱１，１′と固定支柱２，２′との間のブレ−シングが閉じ、底板２７も折り畳まれ、ロッド２０は後方に押されて、板体１９の貫通孔から突出した状態となる。
【００３３】
【発明の効果】
以上述べたごとく、本発明のうち  請求項１に記載の発明は、雨が入り込まないようにした屋根部を、ごみ箱と一緒にコンパクトに折り畳むことができるので、ごみ回収日以外は車両の通行の邪魔にならないようにすることができる。
【００３４】
また、この発明のうち請求項４に記載の発明は、上記効果に加えて、ごみ分別収容袋を容易に装着でき、しかも折り畳みの障害とならない利点が得られる。
【００３５】
【図面の簡単な説明】
【図１】本発明の実施例を示す側面図である。
【図２】本発明の屋根部の実施例を示す斜視図である。
【図３】本発明の実施例を示す正面図である。
【図４】図１のＡ部の拡大図である。
【符号の説明】
１，１′                   移動支柱
２，２′                   固定支柱
３，３′                   梁
１３，１３′               屋根部前方板体両側部のロッド
１４，１４′               案内孔
１７                       棒状体
２０                       ロッド
２３                       ごみ分別収容袋
２７                       底板
【図１】
0003748476.tif 000002
【図２】
0003748476.tif 000003
【図３】
0003748476.tif 000004
【図４】
0003748476.tif 000005